(57)【要約】【課題】  音楽セッションの相手がある特定のグループのメンバーに限定されるといった事情をもつ演奏者に対し、その相手との音楽セッションを簡易確実に実現させること。【解決手段】  ネットワークを介した音楽セッションに用いられるセッション端末１０を、特定のグループ毎に複数台ずつセットとして販売する。そして、セッション端末１０の販売店舗には接続先設定装置３０を設置し、セットとして販売されるセッション端末１０同士により音楽セッションを行うための初期設定を接続先設定装置３０が行う。【選択図】      図１
2006195741.tif 000002
【特許請求の範囲】
【請求項１】
セッション端末を接続して情報の入出力を行うインターフェースと、
複数のセッション端末から、それら各セッション端末を識別する端末識別情報を前記インターフェースを介して夫々取得する取得手段と、
前記取得手段が取得した複数の端末識別情報を外部の特定の装置へセットとして送信するグループ登録依頼手段と、
前記特定の装置から、グループ登録が完了した旨のメッセージを受信する完了通知受信手段と、
前記完了通知受信手段が前記メッセージを受信すると、前記複数のセッション端末の各々に対し、各々から見て別のセッション端末から前記取得手段が取得していた端末識別情報を前記インターフェースを介して夫々引き渡す転送手段と
を備えた接続先設定装置。
【請求項２】
自身を識別する端末識別情報を予め記憶した記憶手段を備えた複数のセッション端末と、それら各セッション端末を接続して情報の入出力を行うインターフェースを備えた接続先設定装置と、セッションの各グループを識別するグループ識別情報とそれらのグループに属するセッション端末の端末識別情報とを対応付けて記憶した記憶手段を備えたセッション管理サーバ装置と
を含んだシステムによる接続先設定方法であって、
前記接続先設定装置が、前記複数のセッション端末の記憶手段に記憶された端末識別情報を前記インターフェースを介して夫々取得する情報取得工程と、
前記接続先設定装置が、前記情報取得工程にて取得した複数の端末識別情報をセッション管理サーバ装置へセットとして送信するグループ登録依頼工程と、
前記セッション管理サーバ装置が、前記接続先設定装置からセットとして受信した複数の端末識別情報を、あるグループ識別情報と対応付けて自らの記憶手段に記憶するグループ登録工程と、
前記複数の端末識別情報を記憶したセッション管理サーバ装置が、グループ登録が完了した旨のメッセージを前記接続先設定装置へ送信する登録完了通知工程と、
前記メッセージを受信した接続先設定装置が、前記複数のセッション端末の各々に対し、各々から見て別のセッション端末から取得していた端末識別情報を前記インターフェースを介して夫々引き渡す情報転送工程と、
前記各セッション端末が、前記接続先設定装置から取得した端末識別情報を、セッション時における接続先として各々の記憶手段に記憶する接続先登録工程と
を有する接続先設定方法。
【発明の詳細な説明】
【技術分野】
【０００１】
本発明は、ネットワークを利用した音楽セッションを支援する技術に関する。
【背景技術】
【０００２】
従来より、遠隔にある者同士で音楽セッションを行うためのシステムが提案されてきた。この種の音楽セッションは、複数の演奏者が、通信機能を搭載した専用端末により各々の電子楽器の演奏内容を遣り取りすることで実現される。ところが、一般に、通信機能を搭載したデバイスは、自身のアドレスを登録するといったような初期設定を行わなければネットワークへ接続することすらできないようになっている。ネットワークに関する専門的な知識の無い演奏者にしてみると、このような初期設定は非常に煩わしいものであった。
【０００３】
また、初期設定を完了した後、実際に特定の相手と音楽セッションを行うためには、その相手のアドレスを自らの専用端末に入力しなければならない。音楽セッションに参加する都度、各演奏者にこのような作業が強いられるとしたならば、誤ったアドレスを入力し所望の相手とうまく接続できないといった問題も頻繁に発生しうる。特許文献１には、このような問題の発生を回避するための仕組みの１つが開示されている。
【特許文献１】特開２００４−１２９２５７
【発明の開示】
【発明が解決しようとする課題】
【０００４】
ところで、音楽セッションに参加する演奏者の中には、様々な相手との音楽セッションを求めて参加してくる第１のタイプの演奏者と、毎回決まった相手との音楽セッションのみを求めて参加してくる第２のタイプの演奏者とが存在している。この第２のタイプの演奏者は、バンドなどのある特定のグループに所属しており、専用端末の購入当初から、自らが所属するグループのメンバー以外との音楽セッションには興味を有していないことが多い。
本発明は、このような背景の下に案出されたものであり、音楽セッションの相手がある特定のグループのメンバーに限定されるといった事情をもつ演奏者に対し、その相手との音楽セッションだけを、複雑な設定作業を行なうこと無く簡易確実に実現させるようなセッション端末を提供することを目的とする。
【課題を解決するための手段】
【０００５】
本発明の好適な態様である接続先設定装置は、セッション端末を接続して情報の入出力を行うインターフェースと、複数のセッション端末から、それら各セッション端末を識別する端末識別情報を前記インターフェースを介して夫々取得する取得手段と、前記取得手段が取得した複数の端末識別情報を外部の特定の装置へセットとして送信するグループ登録依頼手段と、前記特定の装置から、グループ登録が完了した旨のメッセージを受信する完了通知受信手段と、前記完了通知受信手段が前記メッセージを受信すると、前記複数のセッション端末の各々に対し、各々から見て別のセッション端末から前記取得手段が取得していた端末識別情報を前記インターフェースを介して夫々引き渡す転送手段とを備える。
【０００６】
本発明の別の好適な態様である接続先設定方法は、自身を識別する端末識別情報を予め記憶した記憶手段を備えた複数のセッション端末と、それら各セッション端末を接続して情報の入出力を行うインターフェースを備えた接続先設定装置と、セッションの各グループを識別するグループ識別情報とそれらのグループに属するセッション端末の端末識別情報とを対応付けて記憶した記憶手段を備えたセッション管理サーバ装置とを含んだシステムによる接続先設定方法であって、前記接続先設定装置が、前記複数のセッション端末の記憶手段に記憶された端末識別情報を前記インターフェースを介して夫々取得する情報取得工程と、前記接続先設定装置が、前記情報取得工程にて取得した複数の端末識別情報をセッション管理サーバ装置へセットとして送信するグループ登録依頼工程と、前記セッション管理サーバ装置が、前記接続先設定装置からセットとして受信した複数の端末識別情報を、あるグループ識別情報と対応付けて自らの記憶手段に記憶するグループ登録工程と、前記複数の端末識別情報を記憶したセッション管理サーバ装置が、グループ登録が完了した旨のメッセージを前記接続先設定装置へ送信する登録完了通知工程と、前記メッセージを受信した接続先設定装置が、前記複数のセッション端末の各々に対し、各々から見て別のセッション端末から取得していた端末識別情報を前記インターフェースを介して夫々引き渡す情報転送工程と、  前記各セッション端末が、前記接続先設定装置から取得した端末識別情報を、セッション時における接続先として各々の記憶手段に記憶する接続先登録工程とを有する。
【発明の効果】
【０００７】
本発明によると、ある特定のグループに属する各演奏者同士によって行われる音楽セッションを、複雑な手続きを強いることなく確実に実現させることができる。
【発明を実施するための最良の形態】
【０００８】
（発明の実施の形態）
本願発明の実施形態について説明する。本実施形態にかかるセッションシステムは、以下の２つの特徴を有する。１つ目の特徴は、ネットワークを介した音楽セッションに用いられる専用の端末（以下、「セッション端末」と呼ぶ）を、特定のグループ毎に複数台ずつセットとして販売するようにした点である。２つ目の特徴は、セッション端末のセットを販売する店舗にて、そのセットに含まれるセッション端末同士による音楽セッションだけを想定した初期設定を行うようにした点である。
【０００９】
ここで、以降の説明において用いる主要な用語を定義しておく。「運営者」とは、ネットワークを利用した音楽セッションサービスを提供している事業者を意味する。「販売者」とは、自らが経営する店舗にてセッション端末を販売する事業者を意味する。「演奏者」とは、運営者による支援の下、セッション端末の持ち主として音楽セッションに参加する個人を意味する。「楽音情報」とは、楽音信号にある圧縮符号化処理を施して得た符号列を表す情報を意味する。「セッショングループ」とは、セットとして購入される複数のセッション端末を各一台ずつ利用することになっている演奏者の集団を意味する。
【００１０】
図１は、本実施形態にかかるセッションシステムの全体構成図である。図に示すように、本システムは、複数のセッション端末１０と、接続先設定装置３０と、ＳＩＰ（session initialization protocol）サーバ装置４０とから構成される。
図２は、セッション端末１０のハードウェア構成を示すブロック図である。この端末１０は、各演奏者に夫々利用されるものであり、図に示すように、楽音信号入力部１１、楽音信号出力部１２、通信部１３、エンコード／デコード部１４、自端末情報記憶部１５、接続先情報記憶部１６、表示部１７、操作部１８、設定装置接続インターフェース１９、及び制御部２０を備える。
【００１１】
楽音信号入力部１１は、電子楽器５０から自端末１０へ楽音信号を入力する。一方、楽音信号出力部１２は、自端末１０からスピーカ６０へ楽音信号を出力する。通信部１３は、予め登録されたＳＩＰサーバ装置４０のネットワークアドレスを基に同装置４０とコネクションを確立し、各種情報の送受信を行うようになっている。
エンコード／デコード部１４は、楽音信号入力部１１から楽音信号が供給されると、その楽音信号に符号化処理を施して得た楽音情報を通信部１３へ供給する一方、通信部１３から楽音情報が供給されると、その楽音情報に復号化処理を施して得た楽音信号を楽音信号出力部１２へ供給する。
【００１２】
自端末情報記憶部１５は、セッション端末１０を識別するための識別情報である端末ＩＤを予め記憶している。接続先情報記憶部１６は、音楽セッションの相手となるセッション端末１０の端末ＩＤを記憶する。後述するように、この接続先情報記憶部１６の記憶内容の設定は、接続先設定装置３０による制御の下に行われる。
表示部１７は、各種情報を表示するディスプレイである。操作部１８は、各種情報を入力するタッチパネルである。
【００１３】
設定装置接続インターフェース１９は、ＬＡＮ（local area network）ポートを有しており、そのポートに接続したＬＡＮケーブルを介し接続先設定装置３０との間で情報の入出力を行う。
制御部２０は、上記各部を制御する。この制御部２０が行う特徴的な動作については、後にフローチャートを参照しつつ詳述する。
【００１４】
図３は、接続先設定装置３０のハードウェア構成を示すブロック図である。この装置３０は、セッション端末１０を販売する店舗に備え付けられ、販売者による管理の下に稼動される。図に示すように、この装置３０は、ＣＰＵ３１、ＲＡＭ３２、ＲＯＭ３３、ネットワークインターフェース３４、ハードディスク３５の他に、端末接続インターフェース３６を備える。この端末接続インターフェース３６は複数のＬＡＮポートを有しており、それら各ポートに夫々接続したＬＡＮケーブルを介し複数のセッション端末１０との間で情報の入出力を行う。
【００１５】
また、ハードディスク３５は、接続先設定プログラム３５ａを記憶する。ＲＡＭ３２をワークエリアとして利用しつつこの接続先設定プログラム３５ａを実行するＣＰＵ３１には、以下に示す特徴的な機能が付与される。
ａ  端末ＩＤ取得機能
これは、各セッション端末１０の自端末情報記憶部１５に記憶されている端末ＩＤを夫々取得する機能である。
ｂ  グループ登録依頼機能
これは、各セッション端末１０から取得した端末ＩＤをセットとしてＳＩＰサーバ装置４０へ送信する機能である。
ｃ  端末ＩＤ転送機能
これは、各セッション端末１０の各々に対し、各々から見て別のセッション端末１０から取得していた端末ＩＤを夫々引き渡す機能である。
【００１６】
図４は、ＳＩＰサーバ装置４０のハードウェア構成を示すブロック図である。この装置４０は、運営者による管理の下に稼動しており、図に示すように、ＣＰＵ４１、ＲＡＭ４２、ＲＯＭ４３、ネットワークインターフェース４４、キーボード４５、コンピュータディスプレイ４６、及びハードディスク４７を備える。そして、ハードディスク４７は、セッショングループデータベース４７ａとセッション管理プログラム４７ｂとを記憶している。
【００１７】
図５は、セッショングループデータベース４７ａのデータ構造図である。図に示すように、このデータベース４７ａは、各々が１つのセッショングループと対応する複数のレコードの集合体である。このデータベースを構成する１つのレコードは、「グループ」、「登録メンバー」、及び「セッション可能メンバー」の３つのフィールドを有している。
「グループ」のフィールドには、各セッショングループを識別するグループ識別情報が記憶される。「登録メンバー」のフィールドには、各セッショングループに所属する全演奏者の端末ＩＤが記憶される。「セッション可能メンバー」のフィールドには、音楽セッションへの参加を求めて自装置４０へアクセスしてきたセッション端末１０から受信した端末ＩＤを記憶する。
【００１８】
ＲＡＭ４２をワークエリアとして利用しつつこのセッション管理プログラム４７ｂを実行するＣＰＵ４１には、以下に示す特徴的な機能が付与される。
ｄ  グループ登録機能
これは、接続先設定装置３０からセットとして受信した複数の端末ＩＤを１つのセッショングループの管理情報としてセッショングループデータベース４７ａへ登録する機能である。
ｅ  グループセッション制御機能
これは、同じセッショングループに属する複数のセッション端末１０による楽音情報の遣り取りを仲介する機能である。
【００１９】
次に、本実施形態の動作を説明する。本実施形態の動作は、購入時設定処理とセッション処理とに分けられる。
上述したように、本実施形態は、セッション端末１０をセッショングループ毎のセットとして販売するようにした点を特徴の１つとしている。セッション端末１０の購入を希望するセッショングループの演奏者（全員でも代表者でもよい。）は、販売者の店舗を訪れ、自グループの構成員となる演奏者の人数を販売者に口頭で伝える。そして、人数分のセッション端末１０が演奏者によって購入されると、販売者は、購入されたセッション端末１０の各々と店舗に設置された接続先設定装置３０とをＬＡＮケーブルを介して接続する。セッション端末１０を接続した状態で接続先設定装置３０を起動すると、購入時設定処理が開始される。
【００２０】
図６は、購入時設定処理を示すフローチャートである。なお、このフローチャートは、セッション端末１０Ａ乃至Ｃの計３台を接続先設定装置３０に接続した状態で行われる同処理を示したものとなっている。
接続先設定装置３０が起動されると、同装置３０のＣＰＵ３１は、ＳＩＰサーバ装置４０とコネクションを確立した後、セッショングループの新規登録を要求するメッセージをＳＩＰサーバ装置４０へ送信する（Ｓ１００）。
【００２１】
メッセージを受信したＳＩＰサーバ装置４０のＣＰＵ４１は、端末ＩＤの送信を求めるメッセージを接続先設定装置３０へ送信する（Ｓ１１０）。
このメッセージを受信した接続先設定装置３０のＣＰＵ３１は、まず、セッション端末１０Ａに対して端末ＩＤの引渡しを要求する（Ｓ１２０）。
【００２２】
接続先設定装置３０のＣＰＵ３１は、要求に応じたセッション端末１０Ａから、その端末の自端末情報記憶部１５に記憶されている端末ＩＤを取得する（Ｓ１３０）。そして、セッション端末１０Ａから取得した端末ＩＤをＳＩＰサーバ装置４０へ送信する（Ｓ１４０）。
セッション端末１０Ａの端末ＩＤを接続先設定装置３０から受信したＳＩＰサーバ装置４０のＣＰＵ４１は、その端末ＩＤをＲＡＭ４２に記憶する（Ｓ１５０）。そして、セッション端末１０Ａの端末ＩＤが記憶されると、セッション端末１０Ｂ、更にはセッション端末１０Ｃを対象としたステップ１１０乃至ステップ１５０の処理が繰返される。
【００２３】
セッション端末１０Ｃから取得した端末ＩＤをＳＩＰサーバ装置４０へ送信した後、ステップ１１０に戻り、端末ＩＤの引渡しを求めるメッセージを同装置４０から再び受信した接続先設定装置３０のＣＰＵ３１は、グループ登録を要する端末ＩＤをすべて送信した旨のメッセージをＳＩＰサーバ装置４０へ送信する（Ｓ１６０）。
このメッセージを受信したＳＩＰサーバ装置４０のＣＰＵ４１は、セッショングループデータベース４７ａに新たなレコードを１つ追加する（Ｓ１７０）。続いて、ＣＰＵ４１は、ＲＡＭ４２に記憶したセッション端末１０Ａ乃至１０Ｃの端末ＩＤを、ステップ１７０で追加したレコードの「登録メンバー」のフィールドへ記憶すると共に、そのレコードの「グループ」のフィールドに、自らが生成した固有のグループ識別情報を記憶する（Ｓ１８０）。
【００２４】
続いて、ＣＰＵ４１は、グループ登録が完了した旨のメッセージを接続先設定装置３０に送信した後（Ｓ１９０）、同装置３０とのコネクションを切断する。
グループ登録が完了した旨のメッセージを受信した接続先設定装置３０のＣＰＵ３１は、セッション端末１０Ａから取得していた端末ＩＤを、セッション端末１０Ｂ及びセッション端末１０Ｃに夫々引き渡す（Ｓ２００）。セッション端末１０Ｂ及び１０Ｃの制御部２０は、引き渡された端末ＩＤを自らの接続先情報記憶部１６に記憶する（Ｓ２１０）。
【００２５】
セッション端末１０Ｂと１０Ｃにセッション端末１０Ａの端末ＩＤが引き渡されると、今度は、セッション端末１０Ａと１０Ｃ、更にはセッション端末１０Ａと１０Ｂを対象としたステップ２００の処理が繰返される。
この結果、セッション端末１０Ａの接続先情報記憶部１６にはセッション端末１０Ｂと１０Ｃの端末ＩＤが、セッション端末１０Ｂの接続先情報記憶部１６にはセッション端末１０Ａと１０Ｃの端末ＩＤが、セッション端末１０Ｃの接続先情報記憶部１６にはセッション端末１０Ａと１０Ｂの端末ＩＤが夫々記憶されることになる。
【００２６】
各々から見て別のセッション端末１０から取得された端末ＩＤを自らの接続先情報記憶部１６に記憶した各セッション端末１０の制御部２０は、自端末情報記憶部１５に予め記憶されていた端末ＩＤと接続先情報記憶部１６に新たに記憶された端末ＩＤとを読出し、表示部１７に表示させる（Ｓ２２０）。
この表示を参照することにより、各演奏者は、音楽セッション時に自らを表すことになる端末ＩＤと、セッショングループの構成員である他の演奏者を表す端末ＩＤとを了解する。
【００２７】
セッショングループの構成員である演奏者は、購入時設定処理を終えた各セッション端末１０を夫々の自宅へ持ち帰る。そして、各演奏者は、自宅の公衆回線網とセッション端末１０とを接続してから同端末１０を起動する。セッション端末１０が起動されると、セッション処理が開始される。
【００２８】
図７は、セッション処理を示すフローチャートである。
セッション端末１０が起動されると、その制御部２０は、ＳＩＰサーバ装置４０とコネクションを確立した後、自端末情報記憶部１５に記憶されている端末ＩＤを読出し、読み出した端末ＩＤをＳＩＰサーバ装置４０へ送信する（Ｓ３００）。
端末ＩＤを受信したＳＩＰサーバ装置４０のＣＰＵ４１は、その端末ＩＤをＲＡＭ４２へ記憶する（Ｓ３１０）。
【００２９】
続いて、ＣＰＵ４１は、受信した端末ＩＤを「登録メンバー」のフィールドに記憶しているレコードを、セッショングループデータベース４７ａから特定する（Ｓ３２０）。
ＣＰＵ４１は、ステップ３１０にてＲＡＭ４２に記憶しておいた端末ＩＤを、ステップ３２０で特定したレコードの「セッション可能メンバー」のフィールドへ記憶する（Ｓ３３０）。このステップ３３０にて、自らの送信した端末ＩＤが「セッション可能メンバー」のフィールドに記憶されたセッション端末１０は、同じフィールドに既に記憶されていた、又はその後に記憶される端末ＩＤの送信元である他のセッション端末１０と共に音楽セッションを行うことが可能な状態になる。
【００３０】
続いて、ＣＰＵ４１は、ステップ３２０で特定したレコードの「セッション可能メンバー」のフィールドに記憶されている全ての端末ＩＤをＲＡＭ４２へ読み出す（Ｓ３４０）。
ＣＰＵ４１は、ステップ３４０で読み出した端末ＩＤを所定の雛形に埋め込むことによって参加状況通知画面の表示データを生成し、生成した表示データを、ステップ３４０で読み出した各端末ＩＤの発信元であった各セッション端末１０に宛てて送信する（Ｓ３５０）。
【００３１】
表示データを受信したセッション端末１０の制御部２０は、その表示データに基づいて表示部１７に参加状況通知画面を表示させる（Ｓ３６０）。
図８は、参加状況通知画面である。この画面の上段には、「現在、セッションの準備ができているメンバーのＩＤは以下の通りです。」という内容の文字列が表示され、その下には、ステップ３４０で読み出された全ての端末ＩＤが表示される。更に画面の下段には、「セッション開始」と記したボタンが表示される。
この画面を参照した演奏者は、セッションを開始してもよいか否かを判断する。セッションを開始してもよいと判断したときは、画面下のボタンを操作部１７によって選択する。
【００３２】
「セッション開始」のボタンが選択されると、制御部２０は、セッションの開始を要求するメッセージをＳＩＰサーバ装置４０へ送信する（Ｓ３７０）。
ＳＩＰサーバ装置４０のＣＰＵ４１は、表示データの宛先であった全てのセッション端末１０からセッションの開始を要求するメッセージを受信すると、音楽セッションの開始タイミングまでの残り時間長を表すカウントダウン信号を、それらのセッション端末１０へ送信する（Ｓ３８０）。
【００３３】
このカウントダウン信号を受信したセッション端末１０の制御部２０は、他のセッション端末１０と同期を取りつつ、音楽セッションの開始タイミングまでの残り時間長を表示部１７に表示させる（Ｓ３９０）。具体的には、「スタート３秒前」→「スタート２秒前」→「スタート１秒前」の各内容を示す文字列をこの順番で一秒おきに表示させ、更に「スタート１秒前」の文字列を表示してから１秒経過したタイミングで、「スタート！」の文字列を表示させる。
【００３４】
各演奏者は、自らのセッション端末１０の表示部１７に表示されるカウントダウン表示を参照し、「スタート！」の文字列が表示されたタイミングに合わせて一斉に電子楽器５０の演奏を開始する。
演奏が開始されると、各セッション端末１０は、電子楽器５０から自端末に入力される楽音信号を楽音情報としてＳＩＰサーバ装置４０へ送信する処理と、ＳＩＰサーバ装置４０から自端末へ送信される楽音情報を楽音信号としてスピーカ６０へ出力する処理とを並行して行う。一方、ＳＩＰサーバ装置４０のＣＰＵ４１は、セッション端末１０から受信した楽音情報を、セッショングループデータベース４７ａにてそのセッション端末１０と同じセッショングループとして管理されている他のセッション端末１０へ直ちに転送する処理を行う。
【００３５】
このようなＳＩＰサーバ装置４０を介した楽音情報の遣り取りが実行されることで、各セッション端末１０は、遠隔にある他のセッション端末１０に入力された楽音信号をも自らのスピーカ６０から楽音として放音することが可能になり、その結果、遠隔にある演奏者同士によるリアルタイムの音楽セッションが実現する。
【００３６】
以上説明した本実施形態では、ネットワークを介した音楽セッションに必須のデバイスであるセッション端末１０が、セッショングループ毎に複数台ずつセットとして販売されるようになっている。そして、セッション端末１０をセットとして販売する際は、そのセットに含まれるセッション端末１０同士による音楽セッションを実現するために必要な初期設定を、店舗に備え付けた接続先設定装置３０によって纏めて行うようになっている。従って、セッション端末１０を購入した各演奏者は、一般のネットワーク通信機器を使用するときのような複雑な設定作業を行なわずとも、購入したセッション端末１０を自宅の通信回線に接続して起動するだけで、自らが所属するセッショングループのメンバーと共に音楽セッションを楽しむことができる。
【００３７】
また、初期設定の際は、セットとして購入された複数のセッション端末１０の端末ＩＤがＳＩＰサーバ装置４０のセッショングループデータベース４７ａに登録される。そして、その後、ある演奏者のセッション端末１０がＳＩＰサーバ装置４０に自らの端末ＩＤを送信してきたときは、その演奏者と同じセッショングループのメンバーで且つ音楽セッションを行える状況にあるメンバーを示す参加状況通知画面が提示され、この画面の参照を経てから音楽セッションが開始されるようになっている。従って、演奏者が誤って見知らぬ相手に対して音楽セッションを申し込んでしまうといったような事態の発生を防ぐことができる。
【００３８】
（他の実施形態）
本実施形態は、種々の変形実施が可能である。
上記実施形態では、セッション端末１０と接続先設定装置３０とに、ＬＡＮポートを有するインターフェースを搭載させ、両者の間の情報の入出力をＬＡＮケーブルを介して行っていた。これに対し、ＬＡＮとは異なる規格の専用ケーブルを介して情報の入出力を行なってもよい。また、無線ＬＡＮやＩＣタグを用いて情報の入出力を行なってもよい。
【００３９】
上記実施形態において、ＳＩＰサーバ装置４０は、セッショングループデータベース４７ａのあるレコードの「セッション可能メンバー」のフィールドへ端末ＩＤを新たに記憶すると、そのフィールドに記憶されている全ての端末ＩＤの発信元であるセッション端末１０に宛てて、セッションの開始を促す参加状況通知画面の表示データが送信されるようになっていた。これに対し、「登録メンバー」のフィールドに端末ＩＤが記憶されているにもかかわらず「セッション可能メンバー」のフィールドには端末ＩＤが記憶されていないセッション端末１０に宛てて、ＳＩＰサーバ装置４０への接続を促すメッセージが送信されるようにしてもよい。例えば、そのようなメッセージを受け取ったセッション端末１０のスピーカ６０から所定のアラーム音が放音されるようにすれば、セッショングループのメンバーが集まらずに音楽セッションがいつまでも開始できないといった事態の発生を防ぐことができる。
【００４０】
上記実施形態の購入時設定処理において、接続先設定装置３０は、端末接続インターフェース３６を介して各セッション端末１０から取得した端末ＩＤをＳＩＰサーバ装置４０へ１つずつ送信するようになっていた。これに対し、すべてのセッション端末１０から端末ＩＤを取得した後、取得した全端末ＩＤを纏めてＳＩＰサーバ装置４０へ送信するようにしてもよい。
【図面の簡単な説明】
【００４１】
【図１】セッションシステムの全体構成図である。
【図２】セッション端末のハードウェア構成図である。
【図３】接続先設定装置のハードウェア構成図である。
【図４】ＳＩＰサーバ装置のハードウェア構成図である。
【図５】セッショングループデータベースのデータ構造図である。
【図６】購入時設定処理を示すフローチャートである。
【図７】セッション処理を示すフローチャートである。
【図８】参加状況通知画面である。
【符号の説明】
【００４２】
１０…セッション端末、１１…楽音信号入力部、１２…楽音信号出力部、１３…通信部、１４…エンコード／デコード部、１５…自端末情報記憶部、１６…接続先情報記憶部、１７…表示部、１８…操作部、１９…設定装置接続インターフェース、２０…制御部、３０…接続先設定装置、３１,４１…ＣＰＵ、３２，４２…ＲＡＭ、３３，４３…ＲＯＭ、３４，４４…ネットワークインターフェース、３５，４７…ハードディスク、４５…キーボード、４６…コンピュータディスプレイ、３６…端末接続インターフェース、４０…ＳＩＰサーバ装置、５０…電子楽器、６０…スピーカ
【図１】
2006195741.tif 000003
【図２】
2006195741.tif 000004
【図３】
2006195741.tif 000005
【図４】
2006195741.tif 000006
【図５】
2006195741.tif 000007
【図６】
2006195741.tif 000008
【図７】
2006195741.tif 000009
【図８】
2006195741.tif 000010